(57)【要約】【課題】番組バンクシステムにおける時差収録／裏収録に際し、自動プレビューを行うこと、あるいは自動プレビューを行うか否かを自由に設定することが出来る時差収録／裏収録プレビュー方法の実現。【解決手段】回線を介して配信される番組の映像・音声信号を時差収録／裏収録する番組バンクシステムにおいて、時差収録／裏収録すべき番組素材について自動プレビューを行うか、行わないかのプレビュー方式設定を行ったうえで、当該時差収録／裏収録を開始し、自動プレビュー設定した番組素材に対してのみ、自動プレビューを開始し、プレビューの結果に問題がなく、プレビュー中止要求ない場合、収録ＯＫを確認し自動プレビューを終了し、プレビューの結果に問題がなく、プレビュー中止要求ある場合、対応する映像出力を停止し、収録ＯＫを確認し自動プレビューを終了する番組バンクシステムにおける時差収録／裏収録プレビュー方法。【選択図】  図２
2009055509.tif 000002
【特許請求の範囲】
【請求項１】
回線を介して配信される番組の映像・音声信号を時差収録／裏収録する番組バンクシステムにおいて、
時差収録／裏収録すべき番組素材について自動プレビューを行うか、行わないかのプレビュー方式設定を行ったうえで、当該時差収録／裏収録を開始し、
自動プレビュー設定した番組素材に対してのみ、自動プレビューを開始し、
プレビューの結果に問題がなく、プレビュー中止要求ない場合、収録ＯＫを確認し自動プレビューを終了し、
プレビューの結果に問題がなく、プレビュー中止要求ある場合、対応する映像出力を停止し、収録ＯＫを確認し自動プレビューを終了することを特徴とする番組バンクシステムにおける時差収録／裏収録プレビュー方法。
【発明の詳細な説明】
【技術分野】
【０００１】
本発明は、番組バンクシステムの時差収録／裏収録を自動的にプレビューすることにより、監視者の操作が無くても収録を行っている映像を確認出来る番組バンクシステムの時差収録／裏収録プレビュー方法に関するものである。
【背景技術】
【０００２】
ローカル放送局などでは、キー局から回線を介して配信される番組の映像・音声信号を番組バンクシステムのビデオサーバに一度収録し、一定時間経過後あるいは後日に放送する時差収録／裏収録を行っている。  このような従来の番組バンクシステムにおける時差収録／裏収録業務手順を図４に示し、簡単に説明する。
番組バンクシステムにおける時差収録／裏収録は、指定された時間になると、回線を介して配信される番組の映像・音声信号を、自動的にビデオサーバ等を制御し、人の手を介さずに、ビデオサーバへの収録を行う。
この場合、時差収録／裏収録中は、監視端末にてエンコーダ等のポート取得状況等は解るが、実際に収録されている映像は、収録終了後に監視端末にてプレビュー操作を行ってみないと見ることが出来ない。
【特許文献１】特開２００３−２５９１５９公報
【発明の開示】
【発明が解決しようとする課題】
【０００３】
前述のように、従来の番組バンクシステムにおける時差収録／裏収録技術では、番組素材の収録が始まってから、監視端末のプレビュー卓にてプレビュー操作を行い、実際に映像が収録されているかを確認しなければならなかった。
そのため、時差収録／裏収録が失敗している場合に、即対応することが出来ない。また、  時差収録／裏収録された全ての素材に対してプレビューするため、プレビュー不要な素材等、余計な映像を確認することになる。
本発明はこれらの欠点を除去し、番組バンクシステムにおける時差収録／裏収録に際し、自動プレビューを行うこと、あるいは自動プレビューを行うか否かを自由に設定することが出来る時差収録／裏収録プレビュー方法の実現を目的とする。
【課題を解決するための手段】
【０００４】
本発明は上記目的を達成するため、回線を介して配信される番組の映像・音声信号を時差収録／裏収録する番組バンクシステムにおいて、時差収録／裏収録すべき番組素材について自動プレビューを行うか、行わないかのプレビュー方式設定を行ったうえで、当該時差収録／裏収録を開始し、自動プレビュー設定した番組素材に対してのみ、自動プレビューを開始し、プレビューの結果に問題がなく、プレビュー中止要求ない場合、収録ＯＫを確認し自動プレビューを終了し、プレビューの結果に問題がなく、プレビュー中止要求ある場合、対応する映像出力を停止し、収録ＯＫを確認し自動プレビューを終了する番組バンクシステムにおける時差収録／裏収録プレビュー方法である。
【発明の効果】
【０００５】
本発明によれば、時差収録／裏収録が失敗している場合に、即対応が可能である。また、  自動プレビューが不要な素材に対しては、設定することにより映像を出力しないので、余計な映像を確認する必要が無い。
【発明を実施するための最良の形態】
【０００６】
以下、本発明の番組バンクシステムの時差収録／裏収録プレビュー方法について、図１〜図３を用いて詳細に説明する。
図１は、本発明の番組バンクシステムにおける時差収録／裏収録の構成を主体として示すブロック図で、１は回線画像とＶＴＲ画像等の入力映像・音声を切替える入力切替器、２はビデオサーバ、３は回線収録データをデータサーバ４に与える上位システム、４は回線画像収録の指示を行うデータサーバ、５は回線画像収録指示、ＶＴＲ画像収録指示等に基づきビデオサーバ２の収録制御を行う制御コントローラ、６は回線画像収録のプレビュー指示を行う監視端末、７は回線画像を確認するマスター監視モニタ、８はＶＴＲ画像収録の指示を行うファイリング端末、９はＶＴＲ画像を確認するファイリング端末モニタ、１０は送出コントローラである。図２は、本発明の番組バンクシステムにおける時差収録／裏収録自動プレビュー業務手順を示すフローチャートである。図３は、監視端末６における監視卓画面の一実施例を示す模式図である。
【０００７】
キー局から回線を介して配信される回線画像を時差収録／裏収録する場合、通常、上位システム３からの回線収録データに基づき、指定の時刻に、データサーバ４により自動的に回線画像収録指示を行い、制御コントローラ５によってビデオサーバ２を制御し、入力切替器１を介して入力される回線画像がビデオサーバ２に収録される。この場合、時差収録／裏収録中は、監視端末６にてビデオサーバ２のエンコーダ等のポート取得状況等は解るが、実際に収録されている映像は、収録終了後に監視端末５にてプレビュー操作を行ってみないと見ることが出来ない。
そこで、本発明では、時差収録／裏収録開始後、ビデオサーバ２で素材が送出可能になると、監視端末６により回線画像収録のプレビュー指示を行い、制御コントローラ５を介してビデオサーバ２をスイッチャ制御し、自動で素材の再生を開始させることによって、マスター監視モニタ７において回線画像のプレビューを行うことが出来る。
ここで、監視端末６において、ＨＤ／ＳＤ素材を自動で判定することにより、ビデオサーバ２で使用するデコーダを判断する。
【０００８】
即ち、本発明の時差収録／裏収録自動プレビュー業務手順は、図２に示すように、まず、監視端末６において、自動プレビュー(ＰＶ)を行うか、行わないかのプレビュー方式設定を行う。そして、時差収録／裏収録を開始する。
続いて、自動プレビューを行うよう設定した素材に対してのみ、自動プレビューを開始する。
そして、プレビューの結果に問題がない場合で、プレビュー中止要求がなければ、収録ＯＫで自動プレビューを終了する。  なお、プレビューの結果に問題がなく、プレビュー中止要求ありの場合、映像出力を停止し、自動プレビューを終了する。
【０００９】
ここで、図３に示すように、監視端末６における監視卓画面６１上の回線収録情報表示画面６２には回線収録情報が表示され、裏収録情報表示欄６５には収録されている裏収録素材名が表示されている。
そこで、自動プレビューを開始するに際して、裏収録情報表示欄６３に表示されている裏収録素材名の中で、自動プレビューを行う収録素材については、自動プレビュー設定欄６４に自動プレビューの設定を行う。なお、６５は自動プレビューのデフォルト選択釦である。
以上のように、本発明によれば、自動プレビューの必要の無い素材に対しては、予め設定することにより、プレビューを行うか、行わないかを自由に設定することが出来る。
また、自動プレビューが開始された後でも、自動プレビュー中止制御を行うことにより、自動プレビューを任意の時点で中止することが出来る。
更には、プレビュー卓にて操作しなくても、マスター監視モニタ７に、回線画像がプレビュー表示されるため、回線画像が時差収録／裏収録されているかを、容易に確認することが出来る。
【図面の簡単な説明】
【００１０】
【図１】本発明の番組バンクシステムの時差収録／裏収録構成の一実施例を示すブロック図
【図２】本発明の時差収録／裏収録自動プレビュー業務手順を示すフローチャート
【図３】本発明の監視端末における監視卓画面の一実施例を示す模式図
【図４】従来技術の時差収録／裏収録自動プレビュー業務手順を示すフローチャート
【図１】
2009055509.tif 000003
【図２】
2009055509.tif 000004
【図３】
2009055509.tif 000005
【図４】
2009055509.tif 000006